(57)【要約】      （修正有）【課題】サンプルの分析委託業務をより効率的に行うための分析作業の受注システム、受注方法等を提供する。【解決手段】所定サンプルの受領場所および分析項目を規定する依頼情報および前記依頼情報により規定された分析項目の測定を行う分析装置とその設置場所を規定する分析装置情報を受付け、分析データ解析者を指定する第１端末装置と、前記第１端末装置により受付けた依頼情報を表示し、前記依頼情報により規定された分析項目に応じた測定作業を行い、各分析データ入力を受付ける第２端末装置と、前記第２端末装置により受付けた各分析データを表示し、解析したデータ入力を受付ける第３端末装置と、前記第１端末装置から入力された依頼情報および分析装置情報と前記第２端末装置から入力された各分析データと前記第３端末装置から入力された解析結果データとを対応つけて記憶する装置とを備えたサンプルの分析作業の受注システム。【選択図】  図１
2004318556.tif 000002
【特許請求の範囲】
【請求項１】
分析作業の受注システムであって、
所定サンプルについて当該所定サンプルの受領場所および当該所定サンプルの分析項目を規定する依頼情報および前記依頼情報により規定された分析項目に応じた各種測定作業をおこなう分析装置とその設置場所を規定する分析装置情報の入力を受け付け、分析データを解析する解析者を指定するための第１の端末装置と、
前記第１の端末装置により受け付けた依頼情報を表示するとともに、前記依頼情報により規定された分析項目に応じた各種測定作業を前記分析装置情報に規定された分析装置にておこなうことにより取得された各分析データの入力を受け付けるための第２の端末装置と、
前記第２の端末装置により受け付けた各分析データを表示するとともに、前記第１の端末装置により指定された解析者が、前記各分析データを解析することにより取得された解析結果データの入力を受け付けるための第３の端末装置と、
前記第１の端末装置を用いて入力された依頼情報および分析装置情報と前記第２の端末装置を用いて入力された各分析データと前記第３の端末装置を用いて入力された解析結果データとを対応つけて記憶する記憶装置とを備えたことを特徴とするサンプルの分析作業の受注システム。
【請求項２】
さらに、前記第１の端末装置により受け付けた依頼情報を表示するとともに、前記依頼情報に規定された分析項目に応じて設計された分析方法情報の入力を受け付ける第４の端末装置を備え、第１の端末装置が、前記依頼情報に規定された分析項目に応じて分析方法の設計をおこなう分析設計者を指定し、第２の端末装置が、前記第１の端末装置により受け付けた依頼情報により規定された分析項目と前記第４の端末装置により受け付けた分析方法情報に基づき各種測定作業をおこなうことにより取得された各分析データの入力を受け付ける請求項１に記載の分析作業の受注システム。
【請求項３】
前記第１の端末装置を用いて入力された依頼情報に基づき、当該分析項目が測定可能で、且つ、サンプルの受領場所から最も近い場所に設置された分析装置および／または行政的な便益性を有する場所に設置された分析装置を選定し、選定した当該分析装置情報の入力を受け付ける請求項１または２に記載の分析作業の受注システム。
【請求項４】
分析作業の受注をコンピュータシステムを用いておこなう方法であって、
所定サンプルについて当該所定サンプルの受領場所および当該所定サンプルの分析項目を規定する依頼情報と前記依頼情報により規定された分析項目に応じた各種測定作業をおこなう分析装置とその設置場所を規定する分析装置情報と分析データの解析を行う解析者の入力を受け付け、
前記依頼情報により規定された分析項目に応じた各種測定作業を前記分析装置情報で規定された分析装置にておこなうことにより取得された各分析データの入力を受け付け、
前記指定された解析者が前記各分析データを解析することにより取得された解析結果データの入力を受け付け、
前記依頼情報と前記分析装置情報と前記各分析データと前記解析結果データとを対応つけて所定の記憶媒体に記憶することを特徴とする分析作業の受注方法。
【請求項５】
分析作業の受注をコンピュータシステムを用いておこなう方法であって、
所定サンプルについて当該所定サンプルの受領場所および当該所定サンプルの分析項目を規定する依頼情報と前記依頼情報により規定された分析項目に応じた各種測定作業をおこなう分析装置とその設置場所を規定する分析装置情報と分析データの解析を行う解析者と分析項目に応じて分析方法を設計する分析設計者の入力を受け付け、
分析項目に応じて設計された分析方法情報の入力を受け付け、
前記依頼情報により規定された分析項目に応じた各種測定作業を前記分析装置情報により規定された分析装置にて、前記分析方法情報に基づきおこなうことにより取得された各分析データの入力を受け付け、
前記指定された解析者が前記各分析データを解析することにより取得された解析結果データの入力を受け付け、
前記依頼情報と前記分析方法情報と前記各分析データと前記解析結果データとを対応つけて所定の記憶媒体に記憶することを特徴とする分析作業の受注方法。
【請求項６】
前記分析装置情報が、前記依頼情報に基づき、前記依頼情報に規定された分析項目が測定可能で、且つ、サンプルの受領場所から最も近い場所に設置された分析装置および／または行政的な便益性を有する場所に設置された分析装置に係る情報である請求項５または６に記載の分析作業の受注方法。
【請求項７】
分析作業の受注のための処理をおこなう分析作業受注サーバであって、
所定サンプルについて当該所定サンプルの受領場所および当該所定サンプルの分析項目を規定する依頼情報および前記依頼情報により規定された分析項目に応じた各種測定作業をおこなう分析装置とその設置場所を規定する分析装置情報の入力を受け付け、分析データを解析する解析者を指定する受付画面制御手段と、
前記受付画面制御手段により受け付けた依頼情報により規定された分析項目に応じた各種測定作業を前記分析装置情報で規定された分析装置にておこなうことにより取得された各分析データの入力を受け付ける分析画面制御手段と、
前記受付画面制御手段により指定された解析者が、前記分析画面制御手段により受け付けた各分析データを解析することにより取得された解析結果データの入力を受け付ける解析画面制御手段と、
前記受付画面制御手段により受け付けた依頼情報および前記分析装置情報と前記分析画面制御手段により受け付けた各分析データと前記解析画面制御手段により受け付けた解析結果データとを対応つけて記憶する記憶手段とを備えたことを特徴とする分析作業の受注サーバ。
【請求項８】
さらに、分析項目に応じて設計された分析方法情報の入力を受け付ける分析設計画面制御手段を備え、受付画面制御手段が、分析項目に応じて分析方法の設計をおこなう設計者を指定し、分析画面制御手段が、前記受付画面制御手段により受け付けた依頼情報により規定された分析項目と前記分析設計画面制御手段により受け付けた分析方法情報に基づき各種測定作業をおこなうことにより取得された各分析データの入力を受け付ける請求項７に記載の分析作業の受注サーバ。
【請求項９】
前記依頼情報に基づき、前記依頼情報に規定された分析項目が測定可能で、且つ、サンプルの受領場所から最も近い場所に設置された分析装置および／または行政的な便益性を有する場所に設置された分析装置を選定する分析装置選定手段を有する請求項７または８に記載の分析作業の受注サーバ。
【請求項１０】
分析作業の受注のための処理をおこなう分析作業受注プログラムであって、
所定サンプルについて当該所定サンプルの受領場所および当該所定サンプルの分析項目を規定する依頼情報および前記依頼情報により規定された分析項目に応じた各種測定作業をおこなう分析装置とその設置場所を規定する分析装置情報の入力を受け付け、分析データを解析する解析者を指定する受付画面を制御する受付画面制御プログラムと、
前記受付画面において入力された依頼情報により規定された分析項目に応じた各種測定作業を前記分析装置情報に規定された分析装置にておこなうことにより取得された各分析データの入力を受け付ける分析画面を制御する分析画面制御プログラムと、
前記受付画面において指定された解析者が、前記分析画面において入力された各分析データを解析することにより取得された解析結果データの入力を受け付ける解析画面を制御する解析画面制御プログラムと、
前記受付画面において入力された依頼情報と前記分析画面において入力された各分析データと前記解析画面において入力された解析結果データとを対応つけて所定の記憶媒体に記憶する記憶プログラムとを含むことを特徴とする分析作業の受注プログラム。
【請求項１１】
受付画面制御プログラムが、分析項目に応じて分析方法の設計をおこなう前記分析設計者を指定し、さらに、指定された分析設計者が分析項目に応じて設計した分析方法情報の入力を受け付ける分析設計画面を制御する分析設計画面制御プログラムを含み、分析画面制御プログラムが、前記受付画面において入力された依頼情報により規定された分析項目と前記分析設計画面において入力された分析方法情報に基づき各種測定作業をおこなうことにより取得された各分析データの入力を受け付ける請求項１０に記載の分析作業の受注プログラム。
【請求項１２】
前記受付画面において入力された依頼情報に基づき、前記依頼情報に規定された分析項目が測定可能で、且つ、サンプルの受領場所から最も近い場所に設置された分析装置および／または行政的な便益性を有する場所に設置された分析装置を選定する選定プログラムを含む請求項１０または１１に記載の分析作業の受注プログラム。
【発明の詳細な説明】
【０００１】
【発明の属する技術分野】
本発明は、分析作業の受注システム、受注方法、受注サーバおよび受注プログラムに関する。
【０００２】
【従来の技術】
近年、例えば化学品製造業においても、化学品のサンプルの各種分析を、例えば分析会社等の外部の専門業者に委託するケースが増えてきている。分析業務を主業務とする分析会社としては、これら顧客からの分析依頼に対して、より安価に、より早く、顧客が満足し得る分析結果を提供することが必要であった。
【０００３】
これら専門業者へは、分析サンプルとともに、例えば前記サンプル中の主成分の化学構造、分子量等顧客が分析して欲しい分析項目や分析目的が、受付者を通して伝えられ、前記受付者から前記サンプルと前記分析項目や分析目的が、分析担当者へ伝えられ、分析担当者により分析され、また解析され、その結果は受付者を介して、顧客へ伝えられていた。
【０００４】
このような分析業務において、顧客から分析を委託されるサンプルは、例えば医薬、農薬等精密化学品をはじめとした多種多様なサンプルになってきており、しかも顧客から要求される分析項目も多岐にわたり、例えばサンプル中にごく微量含まれる微量成分の構造解析等のより高度な分析が必要となってきているため、より精密な分析機器やより高性能の分析機器等高価な分析機器が少なからず必要になってきているが、自社ですべての分析項目に対応可能なすべての分析機器を整備することは必ずしも経済的とは言えなかった。しかも単にサンプルを各種分析機器で測定し、取得した分析データだけを、顧客へ報告するだけでは顧客の満足度は低く、取得した分析データをもとに、種々解析作業を行い、十分な解析結果データを顧客に示すことが、分析委託業務においては重要になってきているが、分析担当者が得られた分析結果をすべて解析することは極めて困難になってきており、より効率的な分析、解析業務の開発が求められていた。
【０００５】
一方で、顧客から受領したサンプルを、分析機器が存在する場所へ移送して分析作業を行なう場合も、サンプルの移送時間の影響等を考慮する必要があったり、サンプルによっては、サンプルの移送が制限される場合があり、サンプルを分析するにあたり、目的とする分析項目が測定可能な分析装置の設置場所を考慮する必要もあった。
【０００６】
しかしながら、分析業務の費用見積から報告、請求書の発行等の業務の流れをオンライン化したシステムは報告されている（例えば特許文献１参照。）ものの、前記のような分析装置の選定から分析結果の解析までを含めたシステムは知られていなかった。
【０００７】
【特許文献１】
特開２００１−３０６８９２号公報
【０００８】
【発明が解決しようとする課題】
このような状況のもと、本発明者らは、サンプルの分析委託業務をより効率的におこなうための分析作業の受注システムを開発すべく鋭意検討し、本発明に至った。
【０００９】
【課題を解決するための手段】
すなわち本発明は、分析作業の受注システムであって、
所定サンプルについて当該所定サンプルの受領場所および当該所定サンプルの分析項目を規定する依頼情報および前記依頼情報により規定された分析項目に応じた各種測定作業をおこなう分析装置とその設置場所を規定する分析装置情報の入力を受け付け、分析データを解析する解析者を指定するための第１の端末装置と、
前記第１の端末装置により受け付けた依頼情報を表示するとともに、前記依頼情報により規定された分析項目に応じた各種測定作業を前記分析装置情報に規定された分析装置にておこなうことにより取得された各分析データの入力を受け付けるための第２の端末装置と、
前記第２の端末装置により受け付けた各分析データを表示するとともに、前記第１の端末装置により指定された解析者が、前記各分析データを解析することにより取得された解析結果データの入力を受け付けるための第３の端末装置と、
前記第１の端末装置を用いて入力された依頼情報および分析装置情報と前記第２の端末装置を用いて入力された各分析データと前記第３の端末装置を用いて入力された解析結果データとを対応つけて記憶する記憶装置とを備えたことを特徴とするサンプルの分析作業の受注システムおよび分析作業の受注をコンピュータシステムを用いておこなう方法であって、
所定サンプルについて当該所定サンプルの受領場所および当該所定サンプルの分析項目を規定する依頼情報と前記依頼情報により規定された分析項目に応じた各種測定作業をおこなう分析装置とその設置場所を規定する分析装置情報と分析データの解析を行う解析者の入力を受け付け、
前記依頼情報により規定された分析項目に応じた各種測定作業を前記分析装置情報で規定された分析装置にておこなうことにより取得された各分析データの入力を受け付け、
前記指定された解析者が前記各分析データを解析することにより取得された解析結果データの入力を受け付け、
前記依頼情報と前記分析装置情報と前記各分析データと前記解析結果データとを対応つけて所定の記憶媒体に記憶することを特徴とする分析作業の受注方法を提供するものである。
【００１０】
【発明の実施の形態】
以下、本発明について、図面に基づき説明する。図１は、本発明の一つの構成図を示す図である。顧客から分析サンプルを受領し、前記サンプルの分析項目等の分析依頼を受け付けた受付者が使用する端末１と、実際に前記サンプルを分析装置に供して分析作業をおこない、得られた分析データを入力する分析者が使用する端末２と、入力された分析データに基づき、顧客の分析依頼に応じた解析作業をおこない、得られた解析結果データを入力する解析者が使用する端末３と、前記分析作業をおこなうに必要な分析条件等の分析方法を、顧客の分析依頼に応じて作成し、作成した分析方法情報を入力する分析設計者が使用する端末４と、前記依頼情報、分析データ、解析結果データ、分析方法情報等が入力されるサーバ５と、分析項目が分析可能な分析装置とその設置場所を含む分析装置情報を有する分析装置データベース６と、サーバ５に入力された分析データ、解析結果データ、分析方法情報等が前記依頼情報と対応つけられ登録される記憶装置７がネットワーク８で結ばれている。
【００１１】
端末１、２、３および４は、通常キーボード、マウス等の入力手段と、ディスプレイ等の出力手段とを備えており、例えばＷｉｎｄｏｗｓ（登録商標）等の汎用のオペレーティングシステムが組み込まれたパソコン等が挙げられる。
【００１２】
上記端末１〜４とサーバ５と分析装置データベース６と記憶装置７は、例えばローカルエリアネットワークで結ばれていてもよいし、電話網やインターネット等でネットワーク化されていてもよい。
【００１３】
図２に、図１で示した分析作業の受注の流れを説明した図である。まず、顧客からサンプルと分析項目等の依頼情報を受領した受付者は、顧客の氏名等の顧客情報に、前記サンプルの受領場所と前記サンプルの分析項目を加えた依頼情報と前記依頼情報により規定された分析項目に応じた各種測定作業をおこなう分析装置とその設置場所を規定する分析装置情報と分析の結果得られた分析データの解析を行う解析者を指定した解析者情報を、図１に示した端末１を用いて入力する。
【００１４】
前記依頼情報が入力されると、当該依頼情報と分析装置データベース６とに基づき、前記依頼情報に規定された分析項目が分析可能な分析装置に係る情報が、分析装置情報として一覧表示されるようになっており、前記一覧表示された分析装置情報から、適宜選択し、入力される。
【００１５】
かかる分析装置情報の入力は、通常受付者がおこなうが、受付者が、分析項目や分析装置に精通していない場合には、適切な分析装置情報の入力が困難であることが多いため、その場合には、前記解析者情報で指定された解析者や後述する分析設計者に、前記分析装置情報の入力を代行してもらってもよい。前記解析者や前記分析設計者に代行してもらう場合には、分析装置情報の入力は必ずしも端末１からおこなう必要はなく、受付者が前記解析者や前記分析設計者に、電話や電子メール、口頭等で連絡し、前記解析者や前記分析設計者が、それぞれが使用する端末から選定した分析装置情報を入力するようにしてもよい。もちろん受付者が、前記解析者や前記分析設計者から、適切な分析装置情報を入手し、端末１から入力するようにしてもよい。また、システムの一機能として、受付者から解析者や分析設計者へ伝える機能を設けてもよい。
【００１６】
前記分析装置データベース６は、前記依頼情報に規定された分析項目の測定が可能な分析装置に係る情報であり、自社保有の分析装置に係る情報のみで構成されてもよいし、より効率的に分析作業を受注するため、例えば公的機関等に設置され、公的機関に属する者以外の者も、申込や規定の使用料を支払うこと等により使用が可能である分析装置に係る情報も含めることが好ましい。
【００１７】
分析装置情報の入力は、上記のとおり、一覧表示された前記依頼情報で規定された分析項目が分析可能な分析装置情報から適宜選択し、入力すればよいが、サンプルの移送が制限される場合には、前記分析装置情報は、分析装置の設置場所情報も有しているため、例えばサンプルの受領場所と前記設置場所情報に基づき、サンプル受領場所に最も近い場所に設置された分析装置に係る分析装置情報を、選択し、入力するようにしてもよい。この場合に、サーバ５に、前記依頼情報と前記分析装置データベース６に基づき、前記依頼情報に規定された分析項目が分析可能で、且つ、サンプルの受領場所に最も近い場所に設置された分析装置を選定し、選定された分析装置情報を、端末１に表示する機能を設けてもよい。また、前記分析装置を選定する選定装置を別途設けてもよい。
【００１８】
さらに、より有利に分析作業をおこなうため、その分析装置を使用することにより、例えば税法上の優遇を受けることができる、分析装置の使用料が最も安価である、分析終了後のサンプル廃棄の面で優遇処置のある等種々の行政的な便益性をする地域に設置された分析装置であることを選定条件に加えて、分析装置を選定するようにしてもよい。この場合も、サーバ５に、前記依頼情報と前記分析装置データベース６に基づき、前記依頼情報に規定された分析項目が分析可能で、且つ、行政的な便益性をする地域に設置された分析装置、または前記依頼情報に規定された分析項目が分析可能で、且つ、サンプルの受領場所に最も近い場所に設置された分析装置で、且つ、行政的な便益性をする地域に設置された分析装置を選定し、選定された分析装置情報を、端末１に表示する機能を設けてもよい。この場合も、前記分析装置の選定をおこなう選定装置を別途設けてもよい。
【００１９】
また、多くの場合、分析者単独で前記依頼情報に応じた分析条件等を設定し、分析をおこなうことが可能であるが、依頼情報や分析者の能力によっては、別途分析条件等の分析方法を設計し、設計された分析方法に従い、分析作業をおこなった方が効率的である場合があり、そのような場合には、さらに、端末１から、分析設計者を指定した分析設計者情報が入力される。指定された解析者や分析設計者には、受付者が、電話や電子メールで伝えてもよいし、口頭で伝えてもよい。また、システムの一機能として、受付者から解析者や分析設計者へ伝える機能を設けてもよい。
【００２０】
これら依頼情報、分析装置情報および解析者情報、必要に応じて分析設計者情報は、端末１からネットワークを介して、サーバ５に入力され、記憶装置７に登録される。
【００２１】
分析装置が選定されると、受付者は、サンプルと依頼情報を、選定された分析装置を取り扱う分析者に渡す。分析者は、受領したサンプルと依頼情報に基づき、選定された分析装置を用いて必要な分析作業をおこない、得られた分析データをサーバ５に入力する。サーバ５に入力された分析データは、前記依頼情報と対応つけられ記憶装置７に登録される。かかる分析データの入力は、端末２を用いておこなう。例えば公的機関等が所有する分析装置を用いて分析をおこなう場合には、当該分析装置を取り扱い分析する分析者に代わり、前記分析者から分析データを受領した受付者が、分析データを、端末２を用いて入力してもよい。また、この場合には、端末２に代えて受付担当者が入力した端末１を用いてもよい。依頼情報に加えて、分析設計者情報が入力されている場合には、分析設計者から指示された分析方法に従い、分析がおこなわれる。かかる問い合わせは、電話や電子メールでおこなってもよいし、口頭でおこなってもよい。また、システムの一機能として、受付者もしくは分析者から分析設計者へ分析方法の設計の指示を伝える機能を設けてもよい。
【００２２】
分析方法の設計は、端末１で指定された分析設計者が、記憶装置７に入力された依頼情報に基づきおこなわれ、設計された分析方法は、サーバ５に入力され、前記依頼情報と対応つけられて記憶装置７に登録される。かかる入力は、図１に示した端末４を用いておこなわれる。設計された分析方法はサーバ５に入力され、前記依頼情報と対応つけられ記憶装置７に登録されるとともに、分析者には、分析作業開始の指示が出され、分析設計者により設計された分析方法を、分析者は参照しながら、分析作業をおこない、得られた分析データを入力する。分析作業開始の指示は、電話や電子メールでおこなってもよいし、口頭でおこなってもよい。また、システムの一機能として、分析設計者から分析者へ伝える機能を設けてもよい。
【００２３】
続いて、分析データが入力されると、予め指定された解析者に、解析開始の指示が出され、解析者は、記憶装置７に登録された分析データと依頼情報に基づいて、種々解析作業を行い、解析結果データを作成し、解析結果データをサーバ５に入力し、前記依頼情報と対応つけられ記憶装置７に登録される。かかる入力は、図１に示した端末３を用いておこなわれる。解析開始の指示も、上記と同様、電話や電子メールでおこなってもよいし、口頭でおこなってもよいし、システムの一機能として、分析者から解析者へ伝える機能を設けてもよい。
【００２４】
解析結果データが入力されると、受付者に解析終了の指示が出され、受付者は、記憶装置７から、前記解析結果データを取り出すことが可能となる。必要に応じて受付者は、解析結果データを取り出し、顧客へ報告する。解析終了の指示も、上記と同様、電話や電子メールでおこなってもよいし、口頭でおこなってもよいし、システムの一機能として、解析者から受付者へ伝える機能を設けてもよい。
【００２５】
続いて、サーバ５の機能について、図３を参考にしながら説明する。図３に示すように、サーバ５には、受付画面制御プログラム、分析装置選定プログラム、分析画面制御プログラム、解析画面制御プログラムおよび分析設計画面プログラムが組み込まれており、これらのプログラムが相互に連携しながら動作し、上記機能が提供される。
【００２６】
受付画面プログラムは、ネットワーク８を介してサーバ５にアクセスしてきた受付者の端末１とのインターフェースを制御するプログラムであり、分析画面制御プログラムは、ネットワーク８を介してサーバ５にアクセスしてきた分析者の端末２とのインターフェースを制御するプログラムであり、解析画面制御プログラムは、ネットワーク８を介してサーバ５にアクセスしてきた解析者の端末３とのインターフェースを制御するプログラムであり、分析設計画面制御プログラムは、ネットワーク８を介してサーバ５にアクセスしてきた分析設計者の端末４とのインターフェースを制御するプログラムである。分析装置選定プログラムは、受付画面制御プログラムにより登録された依頼情報と分析装置データベース６に基づき、設定された選定条件のもと、対応する分析装置を選定するプログラムである。
【００２７】
受付画面制御プログラムは、受付者の端末１のディスプレイに、受付画面を表示し、その受付画面上で受付者により入力されたデータを、依頼情報、分析装置情報、解析者情報、分析設計者情報として、記憶装置７に登録する機能を有する。依頼情報は、依頼受付番号、依頼された顧客の名前、依頼受付日、回答期限、分析サンプルの名称、分析項目（分析機器、分析条件等）、サンプルの受領場所、分析装置の選定条件等の情報が含まれる。分析装置情報は、前記依頼情報により規定された分析項目が測定可能な分析装置とその設置場所等の情報が含まれる。解析者情報は、前記依頼情報に含まれる分析項目に応じて得られる分析データの解析が可能な者の名前や所属等の解析者の情報が含まれる。分析設計者情報は、前記依頼情報に含まれる分析項目に応じて必要な分析条件等の分析方法を設計可能な者の名前や所属等の分析設計者の情報が含まれる。これら各種情報を入力すると、依頼情報の状況は「受付済」になる。
【００２８】
分析装置選定プログラムは、前記受付画面制御プログラムにより登録された依頼情報と分析装置データベース６に基づき、設定された選定条件のもと、対応する分析装置を選定するプログラムであり、選定結果を、前記受付画面に表示する。前記依頼情報に分析装置の選定条件に応じて、分析装置が選定されるが、かかる選定条件を予め設定し、選択可能なようにしておくことが好ましい。選定条件としては、例えばサンプルの移送が制限される場合のため、サンプルの受領場所に最も近い場所に設置された分析装置を選定するという選定条件が挙げられる。この場合には、前記依頼情報と前記分析装置データベース６に基づき、前記依頼情報に規定された分析項目が分析可能で、且つ、サンプルの受領場所に最も近い場所に設置された分析装置が選定される。また、例えば税法上の優遇を受けることができる、分析装置の使用料が最も安価である、分析終了後のサンプル廃棄の面で優遇処置のある等種々の行政的な便益性をする地域に設置された分析装置を選定する選定条件を設定してもよい。これにより、より安価に分析作業をおこなうことができる。
【００２９】
分析画面制御プログラムは、分析者の端末２のディスプレイに、分析項目やサンプル名等依頼情報や分析装置情報のうち、分析作業に必要な項目を表示するとともに、解析者情報および分析設計者情報を表示する機能を有する。さらに、分析設計者により設計され、記憶装置７に登録された分析方法情報を表示する機能や実際にサンプルを分析装置により分析して、得られた分析データの入力を受付、入力された分析データを、分析データとして、記憶装置７に登録する機能も有する。分析データが記憶装置７に登録されると、依頼情報の状況は、「受付済」もしくは「設計済」から「分析終了」となる。
【００３０】
解析画面制御プログラムは、解析者の端末３のディスプレイに、記憶装置７に登録された依頼情報、分析装置情報、分析データを表示する機能と、前記分析データに基づき解析者が解析を行い、得られた解析結果データの入力を受付、入力された解析結果データを、解析結果データとして、記憶装置７に登録する機能を有する。解析結果データが記憶装置７に登録されると、依頼情報の状況は、「分析終了」から「解析終了」となる。
【００３１】
分析設計画面制御プログラムは、分析設計者の端末４のディスプレイに、記憶装置７に登録された依頼情報および分析装置情報を表示する機能と、前記依頼情報に基づき分析設計者が設計した必要な分析条件等の分析方法情報の入力を受付、入力された分析方法情報を記憶装置７に登録する機能を有する。分析方法情報が登録されると、依頼情報の状況は、「受付済」から「設計済」になる。
【００３２】
なお、分析作業の秘密情報を保護するため、通常受付者、分析者、解析者、分析設計者が、端末から本発明の受注システムを起動すると、まず最初にサーバ内に設けられたユーザ認証プログラムが作動し、前記システムを起動した者が、前記システムにアクセス可能なものであるか否かを判断するようになっている。通常前記システムをまず起動すると、ユーザＩＤを入力するログイン画面が表示され、ユーザ認証プログラムは、サーバ５に予め登録された前記システムにアクセス可能な者のユーザＩＤ、ユーザ名、所属部署等必要なユーザ情報と、ログイン画面で入力されたユーザＩＤとを照合し、前記システムにアクセス可能なユーザＩＤが入力された場合に、アクセスを許可するようになっている。
【００３３】
なお、ユーザＩＤだけでなく、パスワードもユーザ情報として登録しておき、ログイン画面でユーザＩＤとパスワードの両方の入力を要求し、ユーザＩＤとパスワードの両方を照合するようにしてもよい。したがって、上記したように、公的機関等に設置された分析装置を選定した場合には、当該分析装置を取り扱う分析者は、通常前記システムへのアクセス権を有していないため、分析設計者により設計された分析方法情報の記憶装置からの取り出しや得られた分析データの入力等は、例えば受付者が分析者に代わりおこなうことになる。
【００３４】
【発明の効果】
本発明によれば、分析サンプルを受領した受付者が、容易にサンプルの分析場所を選定できるとともに、実際の分析をおこなう分析者と分析により得られた分析データを解析する解析者を分けているため、分析作業と解析作業が効率的におこなうことができる。
【図面の簡単な説明】
【図１】本発明の一構成を示す図である。
【図２】本発明の受注方法の受注の流れの概要を示す図である。
【図３】本発明のサーバの一実施形態の概要を示す図である。
【符号の説明】
１  受付者端末、  ２  分析者端末、  ３  解析者端末、  ４  分析設計者端末、  ５  サーバ、  ６  分析装置データベース、  ７  記憶装置、  ８  ネットワーク、
１０  分析作業受注システム
【図１】
2004318556.tif 000003
【図２】
2004318556.tif 000004
【図３】
2004318556.tif 000005